(57)【要約】放射要素として作用する１枚以上の導電要素と、マルチレベルまたは空間充填接地面とを有するアンテナシステムであって、接地面は、アンテナの動作特徴に影響する特定の幾何学的配置を有する。リターン損失、バンド幅、利得、放射効率、および周波数性能は、マルチレベルおよび空間充填接地面の設計によって調整される。また、接地面は、連続面型の接地面を有するアンテナと比べて、その大きさを縮小することができる。
2005503062.tif 000002
【特許請求の範囲】
【請求項１】
アンテナ装置用の接地面であって、
前記接地面は、少なくとも２枚の導電面を有し、前記導電面は、少なくとも１本の導電ストリップによって接続され、前記導電ストリップは、前記２枚の導電面の内の任意の面の幅よりも狭い、ことを特徴とする、アンテナ装置用の接地面。
【請求項２】
前記導電面は共通の平面または共通の湾曲した面上に敷設されている、請求項１に記載のアンテナ装置用の接地面。
【請求項３】
前記少なくとも２枚の導電面の２本の縁は互いに平行に置かれ、
前記２枚の導電面を接続する前記ストリップは、平行に置かれた前記２本の縁によって規定される隙間に対して中心合わせして置かれている、請求項１または２に記載のアンテナ装置用の接地面。
【請求項４】
前記接地面は少なくとも３枚の導電面を有し、隣接する任意の２枚の導電面による１対は少なくとも１本の導電ストリップによって接続され、隣接する導電面による残りの対は、容量効果または、少なくとも１本の導電ストリップによって提供される直接接触によって電磁気結合される、請求項１、２、または３に記載のアンテナ装置用の接地面。
【請求項５】
前記ストリップは直線軸に沿って整列している、請求項４に記載のアンテナ装置用の接地面。
【請求項６】
前記ストリップは直線軸に沿って整列していない、請求項４に記載のアンテナ装置用の接地面。
【請求項７】
少なくとも２本の導電ストリップを有し、前記ストリップの両方は、前記導電面の両縁に位置する少なくとも２個の点において前記導電面の内の少なくとも２枚の導電面を接続する、請求項１、２、または４に記載のアンテナ装置用の接地面。
【請求項８】
前記複数のストリップの内の少なくとも１本は、前記接地面の外周面を規定する複数の縁の内の１本に沿って整列する、請求項１、２、４、６、または７に記載のアンテナ装置用の接地面。
【請求項９】
前記接地面は、同じ平面または湾曲した面上に敷設された複数の導電面を有し、
前記複数の導電面の内の少なくとも２枚は導電ストリップによって接続されている、請求項２に記載のアンテナ装置用の接地面。
【請求項１０】
隣接する導電面による組の各々は少なくとも１本の導電ストリップによって接続されている、請求項１、２、３、４、５、６、７、８、または９に記載のアンテナ装置用の接地面。
【請求項１１】
前記接地面を規定する全ての導電面は矩形の形状を有し、前記矩形の形状は直線軸に沿って順番に整列しており、前記矩形の形状の組の各々はそれらの間に隙間を規定し、前記複数の隙間の内の少なくとも１個の隙間の対向する少なくとも１組の縁は少なくとも１本の導電ストリップによって接続されている、請求項１、２、３、４、５、６、７、８、９、または１０に記載のアンテナ装置用の接地面。
【請求項１２】
前記接地面を規定する全ての導電面は同じ水平幅を有し、直線の垂直軸に沿って順番に整列し、
隣接する導電面による対の各々はそれらの間に隙間を規定し、
隣接する導電面による対の各々は導電ストリップによって前記隙間を横切るように接続され、前記導電ストリップは前記接地面の外周の縁に沿って整列し、前記縁は、前記接地面の中央を横切る垂直軸に対して左右の側において交互および順番に選択される、請求項１、２、４、６、８、９、１０、または１１に記載のアンテナ装置用の接地面。
【請求項１３】
前記複数の導電面の内の２枚を接続する前記複数のストリップの内の少なくとも１本はジグザグまたは蛇行曲線として形成されている、請求項１、２、３、４、５、６、７、８、９、１０、１１、または１２に記載のアンテナ装置用の接地面。
【請求項１４】
前記複数の導電面の内の少なくとも１枚、および／または前記接地面の前記複数の導電ストリップの内の少なくとも１本は空間充填曲線（ＳＦＣ）として形成され、前記ＳＦＣは少なくとも１０本の接続された直線セグメントによって構成され、
前記複数のセグメントは自由空間波長の１０分の１より小さく、前記隣接し接続されたセグメントのいずれも各々のセグメントより長い直線セグメントを形成しないように空間的に配列され、
前記セグメントのいずれも、選択的に前記曲線の先端においてなされる以外は互いに交差せず、
前記隣接する複数のセグメントによる対の各々によって形成される角部は、選択的に丸められるか、それ以外の方法で滑らかになっており、
前記曲線は、固定された空間の直線の方向に沿って選択的に周期性を有することができ、これは、前記周期が少なくとも１０本の接続されたセグメントによって構成された非周期的曲線によって規定され、前記隣接して接続された複数のセグメントによる対のいずれも各々のセグメントより長い直線セグメントを規定していない場合である、
請求項１、２、３、４、５、６、７、８、９、１０、１１、１２、または１３に記載のアンテナ装置用の接地面。
【請求項１５】
前記アンテナ装置用の接地面の１部はＳＦＣとして形成され、
前記ＳＦＣは１より大きなボックスカウンティング次元を特徴とし、前記ボックスカウンティング次元は通常、対数−対数グラフの直線部分の傾斜として算出され、
斯かる直線部分は、対数−対数グラフの水平軸の目盛りの少なくとも１オクターブを占める直線部分として規定される、
請求項１４に記載のアンテナ装置用の接地面。
【請求項１６】
前記アンテナ装置用の接地面の１部は、ヒルバート、ペアノ、ＳＺ、ＺＺ、ヒルバートＺＺ、ペアノインク、ペアノデック、またはペアノＺＺ曲線のいずれかとして形成される、請求項１４または１５に記載のアンテナ装置用の接地面。
【請求項１７】
前記複数の導電面の内の２枚を接続する前記複数のストリップの内の少なくとも１本はＳＦＣとして形成されている、請求項１４、１５、または１６に記載のアンテナ装置用の接地面。
【請求項１８】
前記複数の導電面の内の少なくとも２枚の間の複数の隙間の内の少なくとも１個は、少なくとも２本の異なる長さの導電ストリップを有する、請求項１、２、３、４、５、６、７、８、９、１０、１１、１２、１３、１４、１５、１６、または１７に記載のアンテナ装置用の接地面。
【請求項１９】
前記接地面を規定する前記複数の導電面の内の少なくとも２枚の間の隙間の少なくとも一部はＳＦＣとして形成されている、請求項１４、１５、１６、または１７に記載のアンテナ装置用の接地面。
【請求項２０】
前記接地面に覆われた面の少なくとも５０％はストリップによって充填され、前記ストリップはＳＦＣとして形成されている、請求項１４、１５、１６、１７、１８、または１９に記載のアンテナ装置用の接地面。
【請求項２１】
前記接地面の幾何学的配置の少なくとも一部はマルチレベル構造であり、前記マルチレベル構造は導体多角形群を含み、前記多角形群の全ては辺の数が同じであることを特徴とし、
前記複数の多角形は、容量結合またはオーム接触によって電磁気結合され、
オーム接触されている多角形間の接触領域の幅は、前記導体接地面を規定する前記導体多角形のうち少なくとも７５％の多角形に対しては前記多角形の外周長の５０％より狭い、
請求項１、２、３、４、５、６、７、８、９、１０、１１、１２、１３、１４、１５、１６、１７、１８、１９、または２０に記載のアンテナ装置用の接地面。
【請求項２２】
前記接地面の外周の形状、前記導電面の形状、または前記接地面に含まれる両方の種類の要素は、正方形、長方形、三角形、円形、半円、楕円、または半楕円である、請求項１から２１のいずれか１項に記載のアンテナ装置用の接地面。
【請求項２３】
前記アンテナ装置は手持ち型のワイヤレス装置である、上記請求項のいずれか１項に記載のアンテナ装置用の接地面。
【請求項２４】
前記アンテナ装置はマイクロストリップパッチアンテナである、請求項１から２２のいずれか１項に記載のアンテナ装置用の接地面。
【請求項２５】
前記アンテナ装置は板状逆Ｆアンテナ（ＰＩＦＡ）である、請求項１から２２のいずれか１項に記載のアンテナ装置用の接地面。
【請求項２６】
前記アンテナ装置はモノポールアンテナである、請求項１から２２のいずれか１項に記載のアンテナ装置用の接地面。
【請求項２７】
前記アンテナは自由空間波長の半分より小さい、上記請求項の任意の１項に記載の接地面を含むアンテナ装置。
【請求項２８】
前記アンテナは、同じ放射要素を有するが、従来の連続面型の接地面を有する別のアンテナよりも小型である、請求項１から２７の任意の１項に記載のアンテナ装置。
【請求項２９】
前記アンテナは、同じ放射要素を有するが、同じ大きさおよび同じ外周形状を有する従来の連続面型の接地面を有する別のアンテナより広いバンド幅を特徴とする、請求項１から２８の任意の１項に記載のアンテナ装置。
【請求項３０】
前記アンテナはマルチバンドの作用を特徴とする、請求項１から２９の任意の１項に記載のアンテナ装置。
【請求項３１】
前記アンテナは、ＡＭＰＳ、ＧＳＭ９００、ＧＳＭ１８００、ＰＣＳ１９００、ＵＭＴＳまたはＣＤＭＡのセルラ方式システム、
またはＩＥＥＥ８０２．１１やＢｌｕｅｔｏｏｔｈなどのＷＬＡＮシステム、
の内の少なくとも１個若しくはこれらの組み合わせに対するマイクロセル若しくはピコセルにおけるカバレージを提供する、請求項２４、２５、２６、２７、２８、または２９に記載のアンテナ装置。
【請求項３２】
前記アンテナは、自動車のリアミラーの内部に装着されて、
ＡＭＰＳ、ＧＳＭ９００、ＧＳＭ１８００、ＰＣＳ１９００、ＵＭＴＳまたはＣＤＭＡのセルラ方式システム、
またはＩＥＥＥ８０２．１１やＢｌｕｅｔｏｏｔｈなどのＷＬＡＮシステム、
の内の少なくとも１個若しくはこれらの組み合わせに対するマイクロセル若しくはピコセルにおけるカバレージを提供する、請求項２４、２５、２６、２７、２８、または２９に記載のアンテナ装置。
【請求項３３】
前記アンテナはキーレスドアロック作動装置に内部に装着される、請求項２４、２５、２６、２７、２８、または２９に記載のアンテナ装置。
【請求項３４】
前記放射要素は前記接地面と同様の形状を有し、前記放射要素は、前記接地面と平行または直交するように配置される、請求項１から２２に記載のアンテナ装置。
【発明の詳細な説明】
【技術分野】
【０００１】
本発明は、大きさを縮小し、性能を高めた、革新的な幾何学的配置群に基づく新規のアンテナ接地面群に関する。これら新規の幾何学的配置はマルチレベルおよび空間充填（space filling）構造として周知である。このような配置はこれまで、マルチバンドの小型アンテナの設計に用いられてきた。そのようなマルチレベルまたは空間充填構造体は「マルチレベルアンテナ」（国際公開第ＷＯ０１／２２５２８号パンフレット）および「空間充填小型アンテナ」（国際公開第ＷＯ０１／５４２２５号パンフレット）に詳述されている。
【背景技術】
【０００２】
本発明は、このような幾何学的配置を小型マルチバンドアンテナの接地面に用いることに関する。例えば、可動端末や手持ち装置といった多くの用途では、装置の大きさによってアンテナやその接地面の大きさが制限され、これがアンテナ全体の性能に大きく影響することが知られている。つまり、アンテナのバンド幅や効率は、アンテナやその接地面の全体的な大きさ、幾何学的配置、設計パラメータとして定義される次元（dimension）に影響される。接地面の大きさが端子アンテナのバンド幅に与える影響については、「Ｉｎｖｅｓｔｉｇａｔｉｏｎ  ｏｎ  Ｉｎｔｅｇｒａｔｅｄ  Ａｎｔｅｎｎａｓ  ｆｏｒ  ＧＳＭ  Ｍｏｂｉｌｅ  Ｐｈｏｎｅｓ」（Ｄ．Ｍａｎｔｅｕｆｆｅｌ，Ａ．Ｂａｈｒ，１．Ｗｏｌｆｆ，Ｍｉｌｌｅｎｎｉｕｍ  Ｃｏｎｆｅｒｅｎｃｅ  ｏｎ  Ａｎｔｅｎｎａｓ  ＆  Ｐｒｏｐａｇａｔｉｏｎ，ＥＳＡ，ＡＰ２０００，Ｄａｖｏｓ，スイス、２０００年４月）に報告されている。従来例では、接地面を含むアンテナの設計に関する工夫の多く（例えば、マイクロストリップ、板状逆Ｆ、またはモノポールアンテナ）は放射要素の設計（つまり、上記の例ではマイクロストリップパッチ、ＰＩＦＡ要素、またはモノポールアーム）に関してであり、接地面の大きさや幾何学的配置は、主に、特定の適用に応じた大きさや審美的な基準によって規定されていた。
【０００３】
本発明の重要点の１つは、アンテナの接地面を、主にその放射性能やインピーダンス性能（インピーダンスレベル、共振周波数、バンド幅）に影響を与えるアンテナの不可欠な部分であると考えることである。本明細書では、新規の幾何学的配置群を開示する。これらによって接地面の幾何学的配置や大きさを、任意の適用（ベース局アンテナ、手持ち端末、車、その他自動車等）において必要な配置や大きさにでき、例えばバンド幅、電圧定在波比（この後ＶＳＷＲと称する）、マルチバンドの作用といった性能を改善する。
【０００４】
マルチレベルおよび空間充填構造を用いてアンテナが動作する周波数範囲を広げることが国際公開第Ｗ００１／２２５２８号パンフレットおよび国際公開第Ｗ００１／５４２２５号パンフレットに説明されている。これは、周波数バンド幅を広げるか、周波数バンドの数を増すか、あるいは両方の効果を組み合わせて動作周波数範囲を増すことによって実現できる。本発明では、上記のマルチレベルおよび空間充填構造をアンテナ接地面に効果的に用いることで、より良いリターンロスまたはＶＳＷＲ、より良いバンド幅、マルチバンドの作用、またはこれらの効果の組合せを実現する。接地面の大きさ、つまりアンテナ全体の大きさを縮小する手段と同様にこうした技術が見られる。
【０００５】
接地面を用いたマイクロストリップアンテナのバンド幅を改善する最初の試みは、Ｔ．ＣｈｉｏｕおよびＫ．Ｗｏｎｇによって「Ｄｅｓｉｇｎｓ  ｏｆ  Ｃｏｍｐａｃｔ  Ｍｉｃｒｏｓｔｒｉｐ  Ａｎｔｅｎｎａｓ  ｗｉｔｈ  ａ  Ｓｌｏｔｔｅｄ  Ｇｒｏｕｎｄ  Ｐｌａｎｅ」（ＩＥＥＥ−ＡＰＳシンポジウム、ボストン、２００１年７月８〜１２日）に記載されている。しかし、著者らは、アンテナの接地面に複数の孔を設けることで性能が改善されると言ってはいるが、これは、意図せずして非常に単純なマルチレベル構造を用いることとなり、接地面の共振特性を変更することとなった結果に過ぎないことが、当業者には理解されるだろう。特に、これには３つの接触点を介して接続された２つの矩形の組と、５つの接触点を介して接続された４つの矩形の組が記載されている。また、アンテナ接地面に、意図せずしてマルチレベル接地構造を用いた別の例が米国特許第５，７０３，６００号に開示されている。ここでは、互いを容量電磁気結合した３個の矩形によって構成された接地面という特定の例が用いられている。しかし、ここで強調したいことは、ＣｈｉｏｕおよびＷｏｎｇの報告にも、米国特許第５，７０３，６００号にも、空間充填またはマルチレベル構造の一般的な構成は記載されておらず、これらの著者らが、このようなマルチレベルまたは空間充填構造の利点を利用してアンテナの作用を改善するという試みを行っていないことである。
【０００６】
本発明に記載の幾何学的配置の中には、既に１９世紀にＧｉｕｓｅｐｅ  ＰｅａｎｏやＤａｖｉｄ  Ｈｉｌｂｅｒｔといった数学者達によって研究された幾何学的配置の中に見られるものもある。しかし、そのような場合は全て、そうした曲線は数学的見地から研究されてはいたが、実用的な工学技術には適用されていなかった。このような数学的な抽象概念（abstraction）は、本発明に記載する一般的な空間充填曲線による実用的な設計において処理（approach）できる。国際公開第ＷＯ０１／５４２２５号パンフレットに記載された、いわゆるＳＺ、ＺＺ、ヒルバートＺＺ、ペアノ（Peanoinc）、ペアノデック（Peanodec）、またはペアノＺＺ曲線と呼ばれるその他の幾何学的配置も、本発明に係る革新的な方法に用いられる空間充填曲線群に含まれる。このような空間充填曲線を用いて理想的なフラクタル形状にも近づける（approach）ことは興味深い。
【０００７】
次元（Ｄ）を用いて、本発明に記載するような非常に複雑な幾何学曲線や構造を特徴づける場合が多々ある。次元は、非常に多くの異なる方法によって数学的に定義されるが、本明細書では、ボックスカウンティング次元（box counting dimension）（数学論理の分野の当業者には周知）を用いてこれらの設計を特徴づける。繰り返しになるが、本発明で記載する新規の構成においてこのような曲線を用いる利点は、主にバンド幅、インピーダンス、またはマルチバンド作用を高めると共に、アンテナ全体を縮小することである。
【０００８】
通常、本発明に記載する一般的な空間充填曲線ほど効果的ではないが、その他に周知な幾何学的配置（蛇行曲線やジグザグ曲線等）を、本発明の精神および範囲に係る新規の構成に用いることができる。ジグザク曲線または蛇行曲線をアンテナに用いることは、例えば国際公開第Ｗ０９６／２７２１９号パンフレットに説明されているが、このような幾何学的配置は従来、主に放射要素の設計に用いられており、本発明の幾つかの実施形態における目的や基礎であるように接地面の設計に用いられるのではない。
【発明の開示】
【課題を解決するための手段】
【０００９】
本発明の重要点は、接地面および放射要素の効果を合わせて、バンド幅、ＶＳＷＲ、マルチバンド作用、効率、大きさ、または利得という点からアンテナ装置全体の性能や特性を高めるようにアンテナ接地面を形成することである。本明細書で開示する本発明では、従来技術において通常記載されるような従来の連続面型（solid）の幾何学的配置ではなく、電流がアンテナ全体の働きを高めるように接地面を流れ、放射するような新規の幾何学的配置群を導入する。
【００１０】
本発明の基礎は、従来の連続面型の接地面を複数（少なくとも２面）の導電面に分割することからなる。これらの導電面は、数枚の導電面の縁同士の間の容量効果（capacitive effect）、導電ストリップによる直接接触、またはこれらの組合わせのいずれかによって電磁気結合されている。
【００１１】
こうして得られた幾何学的配置は従来の連続面型の接地面ではなく、少なくともその一部においてマルチレベルまたは空間充填型である幾何学的配置を有する接地面である。
【００１２】
接地面に用いられるマルチレベル幾何学的配置は、多角形群を含む導電構成からなる。これらの多角形は全て、辺（side）の数が同じであることを特徴とし、容量性結合またはオーム接触のいずれかによって相互に電磁気結合され、オーム接触された多角形同士の間の接触領域の幅は、この導電接地面を定義する複数の多角形のうち、少なくとも７５％の多角形に対しては、これらの多角形の外周長の５０％よりも狭い。マルチレベル幾何学的配置のこの定義では、円形や楕円も含まれる。こうした形状は無限数の辺を有する多角形であると考えられるからだ。
【００１３】
ところで、本明細書で定義する空間充填曲線（以後、ＳＦＣと称する）は、物理的に長い曲線であるが、この曲線を含むことができる領域は小さい曲線である。具体的に本明細書では、以下の定義を以て空間充填曲線とする。つまり、各々のセグメントが周囲のセグメントに対してある角度をなす、つまり隣接するセグメントによる何れの対も各々のセグメントより大きな直線セグメントを形成しないように接続された少なくとも１０個のセグメントから構成された曲線であって、この曲線は選択的に、固定された空間の直線の方向に沿って周期性を有しても良い。ただし、これは、この周期が、接続された少なくとも１０個のセグメントで構成される非周期的曲線によって定義され、隣接して接続されたセグメントによる何れの対も各々のセグメントより長い直線セグメントを形成しない場合である。また、このようなＳＦＣは、その設計が如何にあっても、始点および終点以外の何れの点においても自身と交差しない（つまり、曲線全体は閉曲線または閉ループとして構成できるが、その曲線の何れの部分も閉ループにはならない）。空間充填曲線は、平坦面または湾曲面のいずれにも適合（fit）できる。また、セグメント間に角度があるので、この曲線が適合する領域（表面）と同じ領域（表面）に適合する直線よりも常に物理的に長い。更に、本発明にしたがって接地面を適切に形成するためには、接地面に含まれるＳＦＣ曲線のセグメントは、自由空間波長の１／１０より短くなければならない。
【００１４】
形成手順や曲線の幾何学的配置に応じて理論的に無限長のＳＦＣを設計し、そのトポロジカル次元より長いハウスドルフ次元を特徴づけることができる。つまり、古典的なユークリッド幾何学的配置の見地からは通常、曲線は常に一次元の物体であると解釈されるが、曲線が非常に畳重され（convoluted）、非常に大きな物理的長さを有する場合、この曲線は、それを支持する表面の一部を埋めるようになる。この場合、この曲線（または、少なくともボックスカウンティングアルゴリズムによるその近似物）に関してハウスドルフ次元を算出することができ、それは１（unity）より大きな数になる。図２に示す曲線は、このようなＳＦＣの例である。特に、図面１１、１３、１４、１８は、次元Ｄ＝２を特徴とする理想的な無限曲線に近づくＳＦＣ曲線の例を示す。当業者には周知であるように、ボックスカウンティング次元は、対数−対数グラフの直線部分の傾斜として算出できる。この場合、この直線部分は実質的に直線セグメントとして規定される。本発明の特別な場合、この直線セグメントは、対数−対数グラフの水平軸上の少なくとも１オクターブ（octave）を占める。
【００１５】
適用に応じて必要なマルチレベルおよび空間充填金属パターンを設定する、本発明に係る方法が幾つかある。マルチレベルおよび空間充填構造の特殊な幾何学的配置のために、電流は、（ａ）連続面型の接地面を有するアンテナより縮小、（ｂ）連続面型の接地面を有するアンテナよりバンド幅を増加、（ｃ）多数の周波数での性能発揮、（ｄ）１個または複数の動作バンドにおけるＶＳＷＲを改善、（ｅ）放射効率を改善、（ｆ）利得を増加、という点からアンテナの性能や特徴を高めるように、接地面を流れる。
【００１６】
本発明の包括的および新たに説明した複数の接地面の中の任意の接地面を、接地面を要する従来のアンテナ構成の内の任意の構成において効果的に使用できることは明らかである。これらのアンテナ構成は、例えば手持ち端末用のアンテナ（携帯電話またはコードレス電話、ＰＤＡ、電子ページャ、電子ゲーム、または遠隔操作）、基地局アンテナ（例えば、ＡＭＰＳ、ＧＳＭ９００、ＧＳＭ１８００、ＵＭＴＳ、ＰＣＳ１９００、ＤＣＳ、ＤＥＣＴ、ＷＬＡＮ等のシステム用のマイクロセルまたはピコセルにおけるカバレッジのため）、車のアンテナ、等々である。このようなアンテナは通常、マイクロストリップパッチアンテナ、スロットアンテナ、板状逆Ｆ（ＰＩＦＡ）アンテナ、モノポール等々の形状であって、接地面を要する全てのアンテナに本発明を効果的に用いることができる。つまり、本発明は上述のアンテナに限定されない。アンテナは、接地面を含む限り、上記以外の何れの種類でもよい。
【発明を実施するための最良の形態】
【００１７】
本発明の実施形態にしたがってアンテナを組み立てるためには、適切なアンテナ設計が必要である。任意の数の構成が考えられ、実際にどのアンテナを選ぶかは、様々なアンテナパラメータの中の、例えば動作周波数やバンド幅次第である。考え得る実施形態の幾つかの例を以下に列挙する。
【００１８】
しかし、上記の記載から、本発明の範囲内において様々な変更を行えることは、当業者には明らかだろう。特に、様々な材料や製造処理を選んでアンテナシステムを製造し、所望の効果を得ることもできる。また、本発明の精神において、他のマルチレベルおよび空間充填型の幾何学的配置を用いることができることも明らかである。
【００１９】
図３Ａは、従来例において既に周知の方法で構成された、板状逆Ｆ（２２）アンテナ（以後、ＰＩＦＡアンテナと称する）を示す。これは、放射アンテナ要素２５と、従来の連続面型の接地面２６と、所望の入力インピーダンスに応じてパッチ２５上のどこかで結合する供給点２４と、パッチ要素２５を接地面２６に結合する短絡回路２３とから構成される。供給点２４は、鎧装が接地面に連結され、内部導体２４が放射導体要素２５に結合される同軸ケーブル等といった幾つかの方法で実現できる。放射導体要素２５は通常、四角形のような形状であるが、これ以外の幾つかの形状に言及する特許や科学記事もある。放射要素２５の形状や大きさは、アンテナシステム全体の動作周波数を決定する一因となる。通常、設計の一部とは見なさないが、接地面の大きさや幾何学的配置もＰＩＦＡの動作周波数やバンド幅の決定に影響する。ＰＩＦＡアンテナは、原理的に周知な種類のハンドセットキャビネットと一体化できる形状を有するので、最近、注目されている。
【００２０】
図３Ａに示す従来のＰＩＦＡ接地面とは異なり、新たに開示して図３Ｂに示す接地面３１はマルチレベルおよび空間充填構造で構成され、これによって、より良いリターン損失やＶＳＷＲ、より良いバンド幅、およびマルチバンド作用を実現できると共に、（接地面を含む）アンテナの大きさを縮小できる。ＰＩＦＡ２７の特定の実施形態は、放射アンテナ要素３０と、マルチレベルおよび空間充填接地面３１と、パッチ３０上のどこかで結合する供給点２９と、パッチ要素３０を接地面３１に結合する短絡回路２８とから構成される。一般性を失わずに明瞭化するために、マルチレベル接地面３１の特定の例を示す。この例では複数の矩形面が、ＳＦＣや蛇行線を形成する導電ストリップを介して直接的に接触することで電気磁気結合を実現している。より正確には、このマルチレベル構造は５枚の矩形を用いて形成されており、このマルチレベル構造は、２周期のＳＦＣ（８）および蛇行線によって矩形面に結合されている。当業者にとっては、これらの面は、上記以外の任意の大きさおよび任意の種類の多角形であって、その他の任意のＳＦＣ曲線や容量効果（capacitive effect）等といった上記以外の任意の方法で接続されてもよいことが明らかである。明確にするために、この接地面を規定する表面は共通の平面上に敷設されているが、湾曲または屈曲した面上に敷設されるその他の構成を用いることもできる。
【００２１】
この好適な実施形態では、結合された矩形同士の縁は互いに平行でも直交してもよいが、そうでなければならないということではない。また、本発明では、数本の導電ストリップを用いて多角形同士をオーム接触させることができる。複数の多角形を結合するストリップを、図６や図面２、５０、５１、５６、５７、６２、６５に示すように、隙間の中央に置くことができるし、例えば図面５２や５８に示すように、複数の位置に置くこともできる。
【００２２】
好適な実施形態の中には、大きい方の矩形が同じ幅を有する実施形態もあるが（例えば、図１や図７）、そうでない実施形態もある（例えば、図８の図面６４〜６７）。多角形および／またはストリップが直線軸に対して直線的に配置された好適な実施形態（例えば、図面５６や５７）もあるし、直線軸に対して中心合わせされていない好適な実施形態もある。また、このストリップを、例えば図面５５に示すように、接地面全体の縁に配置することもできるし、図面５８に示すように、ジグザグや蛇行パターンに配置することもできる。図面５８では、ストリップは、接地面全体の２本の長い方の縁に沿って交互または順番に配置されている。
【００２３】
図面５９および６１に示すような実施形態の中には、複数の導電面が２本以上のストリップまたは導電多角形によって結合されている実施形態もある。このような実施形態は、マルチバンドまたはブロードバンドの作用を高めたい場合に好適である。このような多数ストリップ配列によれば、相互に適切に結合すれば、別々のバンドまたはブロードバンドとして使用できる多数の共振周波数を実現できる。また、このマルチバンドまたはブロードバンドの作用は、ストリップを、同じ隙間内で異なる長さに成形することで得られる。
【００２４】
他の好適な実施形態では、図３、図４、図５、図１０、図１１、図１４、または図１５に例示するように、導電面同士をＳＦＣの形状を有するストリップによって接続する。この構成において、ＳＦＣ曲線は、図１４に示すように、接地面によって覆われる領域の５０％以上を覆うことができる。他の実施形態では、図１２または１３に示すように、導電面同士の間の隙間をＳＦＣ曲線のように形成する。実施形態の中には、ＳＦＣ曲線が、ボックスカウンティング次元の１次元よりも大きい（少なくとも、ボックスカウンティングアルゴリズムに用いる対数−対数グラフの横軸における１オクターブを占める）ことを特徴とし、いわゆるヒルバートまたはペアノ曲線、またはフラクタル曲線として周知である理想的な無限曲線を近づける（approach）実施形態もある。
【００２５】
マルチレベルおよび空間充填接地面の別の好適な実施形態は、図４に示すようなモノポール構成である。図４Ａは、従来の一般的な連続面型の接地面上にあるモノポール放射要素３３によって構成される従来のアンテナシステム３２を示す。従来の特許や科学関連の出版物は数種類の連続面型の表面に言及しており、最も一般的な形状は円形または矩形である。しかし、本発明による新規の接地面構成では、マルチレベルおよび空間充填構造を用いて、リターン損失、放射効率、または利得、またはバンド幅、またはこれらの組合せを高める一方で、連続面型の接地面を有するアンテナと比べて、その大きさを縮小している。図４Ｂは、放射要素３６と、マルチレベルおよび空間充填接地面３７とによって構成されるモノポールアンテナシステム３５を示す。ここで示されるモノポール放射要素３３のアームは筒状であるが、これ以外の任意の構成で代用できることは明らかである（螺旋、ジグザグ、蛇行、フラクタル、またはＳＦＣ構成、その他）。
【００２６】
本発明と同じ原理や精神に基づいてアンテナを変形する例として、別の好適な実施形態の例を図５に示す。これはパッチ構成に基づく実施形態である。図５Ａは、ポリゴナルパッチ３９（正方形、三角形、五角形、六角形、長方形、または円形、マルチレベル、またはフラクタル、その他）を有する従来のパッチアンテナと、従来の一般的な連続面型の接地面４０とで構成されるアンテナシステム３８を示す。図５Ｂは、放射要素４２（任意の形状または大きさを有することができる）と、マルチレベルおよび空間充填接地面４３とによって構成されるパッチアンテナシステム４１を示す。図示する接地面４３は、マルチレベルおよび空間充填構造を如何にして接地面上で実現できるかを示す例にすぎない。アンテナ、接地面、またはこの両方を誘電基板上に配設することが好適である。これは、例えば、ＰＣＢを製造するために使用するようなエッチング技術や、導電インクを用いてアンテナや接地面を基板にプリントする処理によって実現できるだろう。低損失誘電体基板（グラスファイバや、Ｃｕｃｌａｄｏ（登録商標）等のテフロン（登録商標）基板、または当業者の間では周知のＲｏｇｅｒｓ（登録商標）４００３等といったその他の商用の物質）を、パッチと接地面との間に配置してもよい。また、同様の特性を有する他の誘電物質を用いて、本発明の趣旨を逸脱せずに、上記の物質を代用してもよい。アンテナや接地面を銅またはその他の任意の金属からエッチングする代替的な方法として、導電インクを用いてアンテナシステムをプリントすることでもアンテナシステムを製造することができる。アンテナへの供給方法は、従来のパッチアンテナで行われている周知の任意の方法で行うことできる。例えば、外部導体が接地面に接続され内部導体が所望の入力抵抗点においてパッチに接続された同軸ケーブルや、パッチと接地面を共有し、パッチの下層に離して設けることで容量結合させたマイクロストリップ導電線や、接地面の下層に設けられたマイクロストリップ導電線を、接地面に設けられたスロットを介して接地面の上層のパッチと結合させる構成、接地面の下層に設けられたマイクロストリップ導電線を、接地面に設けられたコプレーナ線路を介して接地面の上層のパッチと結合させる構成などがある。これら全ての機構は、従来からよく知られており、本発明の重要点を構成するものではない。本発明の重要点は、従来の構成に対して大きさを縮小し、アンテナのバンド幅、ＶＳＷＲ、および放射効率を増加することに貢献する、接地面の形状（マルチレベルおよび／または空間充填型）である。
【００２７】
こうした接地面の幾何学的配置の利点を用いて、実質的に同様の方法で放射要素を形成できることは興味深い。このように、接地面および放射要素の共振を合わせた効果によってアンテナの作用を高める左右対称または左右略対称（quasymmetrical）の構成が得られる。図面６１に示す構成や設計を用いたマイクロストリップ１２７やモノポール１２８アンテナの特定の例を図１９に示すが、当業者にとっては、本発明と同じ精神において、これ以外の多くの幾何学的配置（図面６１以外）を用いることができることは明らかである。図面１２７は、短絡ポストと、供給点１３２と、接地面６１とを有する短絡パッチ１２９を有する特定の構成を示すが、短絡ポスト、ピン、ストリップが無い上記以外の構成も、この一連の設計に含まれる。モノポール１２８の特定の設計では、供給ポストを１３３で示す。
【００２８】
上述の実施形態は、例示目的のために説明したものであって、本発明を制限するものではない。本発明の原理を、その幾つかの好適な実施形態において例示して説明してきたが、当業者においては、この原理から逸脱することなく、本発明の構成や細部を変形できることは明白である。
【図面の簡単な説明】
【００２９】
本発明の理解を促すために、添付の図面を参照する。
【図１】２枚の従来例の接地面と、新規のマルチレベル接地面との比較を示す図である。１は、連続面型の１枚の面（矩形、従来例）によって作られた従来の接地面を示し、２は、本発明によって開示される一般的な技術にしたがって２枚の面５、６（矩形）に分割し、導体ストリップ７によって接続された接地面の特定の例を示す。３は、隙間４によって分割された２枚の導電面５、６が容量効果（従来例）によって接続された場合を示す。
【図２】ＳＦＣ曲線の例を示す図である。最初に示す曲線８から、その他の曲線９、１０、１１が作られる（ヒルバート曲線と呼ばれる）。同様に、他のＳＦＣ曲線群、例えば曲線１２、１３、１４の集合（ＳＺ曲線と呼ばれる）、曲線１５、１６の集合（ＺＺ曲線として周知）、曲線１７、１８、１９の集合（ヒルバートＺＺ曲線と呼ばれる）、曲線２０の集合（ペアノ曲線）、曲線２１の集合（ジュセッペペアノ（Giusepe Peano）曲線に基づく）を作ることができる。
【図３Ａ】放射アンテナ要素２５と、従来の連続面型の接地面２６と、所望の入力インピーダンスに応じて放射アンテナ要素２５上のどこかで結合する供給点２４と、パッチ要素２５を接地面２６に結合する短絡回路２３とによって形成される、従来の（従来例）板状逆Ｆアンテナ、つまりＰＩＦＡ（２２）を示す斜視図である。
【図３Ｂ】放射アンテナ要素３０と、供給点２９と、短絡回路２８と、マルチレベルおよび空間充填の両方の幾何学的配置によって形成された新規の接地面構造３１の特定の例とによって形成されたＰＩＦＡアンテナ用の新規の構成体（２７）を示す図である。
【図４Ａ】モノポール３３が連続面型の接地面３４上にある従来（従来例）の構成を示す代表的な斜視図である。
【図４Ｂ】接地面３７がマルチレベルおよび空間充填構造によって構成された、改良されたモノポールアンテナ構成体３５を示す図である。
【図５Ａ】矩形の放射要素パッチ３９と、従来の接地面４０とによって形成されたパッチアンテナシステム（３８）（従来例）を示す斜視図である。
【図５Ｂ】放射要素４２と、マルチレベルおよび空間充填接地面４３とによって構成された、改良されたアンテナパッチシステムを示す図である。
【図６】長方形（４４、４５、４６）、および円形（４７、４８、４９）等といった異なる輪郭線形状のマルチレベル接地面の例を示す図である。この場合、円形および楕円形は、無限数の辺を有する多角形と考える。
【図７】直線軸に対して整列する、またはしない、（１または２本の）導電ストリップによって導電面を接続した、同じ幅を有する一連のマルチレベル構造（この場合は矩形）を示す図である。
【図８】同じ幅を有する構造のみが導電ストリップによって接続できるわけではないことを示す図である。５９、６１に示すように、２本以上の導電ストリップを用いて矩形の多角形を相互に接続できる。本発明の精神において、表面間で、幅や長さが異なる導電ストリップを如何にして使用できるかを示す例も示す。
【図９】マルチレベル接地面の代替的な形状を示す図である。６８〜７６に示す形状は矩形構造から作られるが、他の任意の形状を用いることもできる。
【図１０】１本（１０）または２本（９および１０）のＳＦＣ接続ストリップによって接続された２枚の導電面（５および６）の例（７７および７８）を示す図である。
【図１１】少なくとも２枚の導電面の間の隙間の少なくとも一部がＳＰＣ接続ストリップの形状である例を示す図である。
【図１２】接地面の部分の少なくとも１つがＳＦＣの形状である一連の接地面を示す図である。特に、導電面同士の間の隙間（８４、８５）がＳＦＣとして形成されてる場合もある。
【図１３】導電面同士の間の隙間等といった接地面の部分がＳＦＣとして形成されている、別の例を示す図である。
【図１４】異なるＳＦＣ幅の曲線（９３、９４）を有する接地面（９１、９２）の更なる形状を示す図である。用途によって、構成９１を用いてアンテナの大きさを最小にし、構成９２は、後方放射を減少しながら、大きさを縮小したアンテナのバンド幅を増すために好適である。
【図１５】直接接触（９５、９６、９７、９８）または容量効果（９８の中央のストリップ）によってＳＦＣ導電ストリップを介して接続される、幅が異なる一連の導電面を示す図である。
【図１６】マルチレベル接地面の例（この場合、矩形によって形成された）を示す図である。
【図１７】マルチレベル接地面の別の複数の例を示す図である。
【図１８】長さまたは幾何学的配置が異なる蛇行曲線によって少なくとも２枚の導電面を接続したマルチレベル接地面の例を示す図である。この蛇行線の幾つかをＳＦＣ曲線で代用して、大きさを更に縮小したり、異なる周波数の作用を得ることができる。
【図１９】放射要素が接地面と実質的に同じ形状であることで、左右対象または左右略対称の構成を得られるアンテナの例を示す図である。ここで、この放射要素は、接地面に対して平行（１２７）または直交（１２８）に置かれている。
【国際公開パンフレット】
2005503062.tif 000003
2005503062.tif 000004
2005503062.tif 000005
2005503062.tif 000006
2005503062.tif 000007
2005503062.tif 000008
2005503062.tif 000009
2005503062.tif 000010
2005503062.tif 000011
2005503062.tif 000012
2005503062.tif 000013
2005503062.tif 000014
2005503062.tif 000015
2005503062.tif 000016
2005503062.tif 000017
2005503062.tif 000018
2005503062.tif 000019
2005503062.tif 000020
2005503062.tif 000021
2005503062.tif 000022
2005503062.tif 000023
2005503062.tif 000024
2005503062.tif 000025
2005503062.tif 000026
2005503062.tif 000027
2005503062.tif 000028
2005503062.tif 000029
2005503062.tif 000030
2005503062.tif 000031
2005503062.tif 000032
2005503062.tif 000033
2005503062.tif 000034
2005503062.tif 000035
2005503062.tif 000036
2005503062.tif 000037
2005503062.tif 000038
2005503062.tif 000039
2005503062.tif 000040
2005503062.tif 000041
2005503062.tif 000042
2005503062.tif 000043
2005503062.tif 000044
【手続補正書】
【提出日】平成15年8月13日(2003.8.13)
【手続補正１】
【補正対象書類名】明細書
【補正対象項目名】０００８
【補正方法】変更
【補正の内容】
【０００８】
通常、本発明に記載する一般的な空間充填曲線ほど効果的ではないが、その他に周知な幾何学的配置（蛇行曲線やジグザグ曲線等）を、本発明の精神および範囲に係る新規の構成に用いることができる。ジグザク曲線または蛇行曲線をアンテナに用いることは、例えば国際公開第Ｗ０９６／２７２１９号パンフレットに説明されているが、このような幾何学的配置は従来、主に放射要素の設計に用いられており、本発明の幾つかの実施形態における目的や基礎であるように接地面の設計に用いられるのではない。
欧州特許第ＥＰ−６８８．０４０号明細書は、第１および第２の表面を有する基板を含む、双方向アンテナを開示していることが知られている。第２の表面上に、１枚の面と、ストリップ導体と、パッチ導体とによって形成された接地導体が、それぞれ配置されている。




【手続補正書】
【提出日】平成15年11月26日(2003.11.26)
【手続補正１】
【補正対象書類名】特許請求の範囲
【補正対象項目名】全文
【補正方法】変更
【補正の内容】
【特許請求の範囲】
【請求項１】
アンテナ装置用の接地面であって、
前記接地面は、少なくとも２枚の導電面を有し、前記２枚の導電面は、１枚の導電面から別の導電面に電流が流れることを可能にする少なくとも１本の導電ストリップによって接続され、前記導電ストリップは、前記２枚の導電面の内の任意の面の幅よりも狭い、ことを特徴とする、アンテナ装置用の接地面。
【請求項２】
前記導電面は共通の平面または共通の湾曲した面上に敷設されている、請求項１に記載のアンテナ装置用の接地面。
【請求項３】
前記少なくとも２枚の導電面の２本の縁は互いに平行に置かれ、
前記２枚の導電面を接続する前記少なくともストリップは、平行に置かれた前記２本の縁によって規定される隙間に対して中心合わせして置かれている、請求項１または２に記載のアンテナ装置用の接地面。
【請求項４】
前記接地面は少なくとも３枚の導電面を有し、隣接する任意の２枚の導電面による１対は少なくとも１本の導電ストリップによって接続され、隣接する導電面による残りの対は、容量効果または、少なくとも１本の導電ストリップによって提供される直接接触によって電磁気結合される、請求項１、２、または３に記載のアンテナ装置用の接地面。
【請求項５】
前記ストリップは直線軸に沿って整列している、請求項４に記載のアンテナ装置用の接地面。
【請求項６】
前記ストリップは直線軸に沿って整列していない、請求項４に記載のアンテナ装置用の接地面。
【請求項７】
前記アンテナ用の接地面は、少なくとも２本の導電ストリップを有し、前記ストリップの両方は、前記導電面の両縁に位置する少なくとも２個の点において前記導電面の内の少なくとも２枚の導電面を接続する、請求項１、２、または４に記載のアンテナ装置用の接地面。
【請求項８】
前記複数のストリップの内の少なくとも１本は、前記接地面の外周面を規定する複数の縁の内の１本に沿って整列する、請求項１、２、４、６、または７に記載のアンテナ装置用の接地面。
【請求項９】
前記接地面は、同じ平面または湾曲した面上に敷設された複数の導電面を有し、
前記複数の導電面の内の少なくとも２枚は導電ストリップによって接続されている、請求項２に記載のアンテナ装置用の接地面。
【請求項１０】
隣接する導電面による組の各々は少なくとも１本の導電ストリップによって接続されている、請求項１、２、３、４、５、６、７、８、または９に記載のアンテナ装置用の接地面。
【請求項１１】
前記接地面を規定する全ての導電面は矩形の形状を有し、前記矩形の形状は直線軸に沿って順番に整列しており、前記矩形の形状の組の各々はそれらの間に隙間を規定し、前記複数の隙間の内の少なくとも１個の隙間の対向する少なくとも１組の縁は少なくとも１本の導電ストリップによって接続されている、請求項１、２、３、４、５、６、７、８、９、または１０に記載のアンテナ装置用の接地面。
【請求項１２】
前記接地面を規定する全ての導電面は同じ水平幅を有し、直線の垂直軸に沿って順番に整列し、
隣接する導電面による対の各々はそれらの間に隙間を規定し、
隣接する導電面による対の各々は導電ストリップによって前記隙間を横切るように接続され、前記導電ストリップは前記接地面の外周の縁に沿って整列し、前記縁は、前記接地面の中央を横切る垂直軸に対して左右の側において交互および順番に選択される、請求項１、２、４、６、８、９、１０、または１１に記載のアンテナ装置用の接地面。
【請求項１３】
前記複数の導電面の内の２枚を接続する前記複数のストリップの内の少なくとも１本はジグザグまたは蛇行曲線として形成されている、請求項１、２、３、４、５、６、７、８、９、１０、１１、または１２に記載のアンテナ装置用の接地面。
【請求項１４】
前記複数の導電面の内の少なくとも１枚、および／または前記接地面の前記複数の導電ストリップの内の少なくとも１本は空間充填曲線（ＳＦＣ）として形成され、前記ＳＦＣは少なくとも１０本の接続された直線セグメントによって構成され、
前記複数のセグメントは自由空間波長の１０分の１より小さく、前記隣接し接続されたセグメントのいずれも各々のセグメントより長い直線セグメントを形成しないように空間的に配列される、請求項１、２、３、４、５、６、７、８、９、１０、１１、１２、または１３に記載のアンテナ装置用の接地面。
【請求項１５】
前記セグメントは、前記曲線の先端において互いに交差する、請求項１４に記載のアンテナ用の接地面。
【請求項１６】
前記隣接するセグメントの対の各々によって形成される角部は丸められるか、別の方法で滑らかになっている、請求項１４または１５に記載のアンテナ用の接地面。
【請求項１７】
前記曲線は、固定された空間の直線の方向に沿って選択的に周期性を有することができ、これは、前記周期が少なくとも１０本の接続されたセグメントによって構成された非周期的曲線によって規定され、前記隣接して接続された複数のセグメントによる対のいずれも各々のセグメントより長い直線セグメントを規定していない場合である、請求項１４から１６のいずれか１項に記載のアンテナ用の接地面。
【請求項１８】
前記アンテナ装置用の接地面の１部はＳＦＣとして形成され、
前記ＳＦＣは１より大きなボックスカウンティング次元を特徴とし、前記ボックスカウンティング次元は通常、対数−対数グラフの直線部分の傾斜として算出され、
斯かる直線部分は、対数−対数グラフの水平軸の目盛りの少なくとも１オクターブを占める直線部分として規定される、
請求項１４に記載のアンテナ装置用の接地面。
【請求項１９】
前記アンテナ装置用の接地面１部は、ヒルバート、ペアノ、ＳＺ、ＺＺ、ヒルバートＺＺ、ペアノインク、ペアノデック、またはペアノＺＺ曲線のいずれかとして形成される、請求項１４から１８のいずれか１項に記載のアンテナ装置用の接地面。
【請求項２０】
前記複数の導電面の内の２枚を接続する前記複数のストリップの内の少なくとも１本はＳＦＣとして形成されている、請求項１４から１９のいずれか１項に記載のアンテナ装置用の接地面。
【請求項２１】
前記複数の導電面の内の少なくとも２枚の間の複数の隙間の内の少なくとも１個は、少なくとも２本の異なる長さの導電ストリップを有する、請求項１から２０の任意の１項に記載のアンテナ装置用の接地面。
【請求項２２】
前記接地面を規定する前記複数の導電面の内の少なくとも２枚の間の隙間の少なくとも一部はＳＦＣとして形成されている、請求項１４から２０の任意の１項に記載のアンテナ装置用の接地面。
【請求項２３】
前記接地面に覆われた表面の少なくとも５０％はストリップによって充填され、前記ストリップはＳＦＣとして形成されている、請求項１４から２２の任意の１項に記載のアンテナ装置用の接地面。
【請求項２４】
前記接地面の幾何学的配置の少なくとも１部はマルチレベル構造であり、前記マルチレベル構造は導体多角形群を含み、前記多角形群の全ては辺の数が同じであることを特徴とし、
前記複数の多角形は、容量結合またはオーム接触によって電磁気結合され、
オーム接触されている多角形間の接触領域の幅は、前記導体接地面を規定する前記導体多角形のうち少なくとも７５％の多角形に対しては前記多角形の外周長の５０％より狭い、
請求項１から２３のいずれか１項に記載のアンテナ装置用の接地面。
【請求項２５】
前記接地面の外周の形状、前記導電面の形状、または前記接地面に含まれる両方の種類の要素は、正方形、長方形、三角形、円形、半円、楕円、または半楕円である、請求項１から２４のいずれか１項に記載のアンテナ装置用の接地面。
【請求項２６】
前記アンテナ装置は手持ち型のワイヤレス装置である、上記請求項のいずれか１項に記載のアンテナ装置用の接地面。
【請求項２７】
前記アンテナ装置はマイクロストリップパッチアンテナである、請求項１から２５のいずれか１項に記載のアンテナ装置用の接地面。
【請求項２８】
前記アンテナ装置は板状逆Ｆアンテナ（ＰＩＦＡ）である、請求項１から２５のいずれか１項に記載のアンテナ装置用の接地面
【請求項２９】
前記アンテナ装置はモノポールアンテナである、請求項１から２５のいずれか１項に記載のアンテナ装置用の接地面。
【請求項３０】
前記アンテナは自由空間波長の半分より小さい、上記請求項の任意の１項に記載の接地面を含むアンテナ装置。
【請求項３１】
前記アンテナは、同じ放射要素を有するが、従来の連続面型の接地面を有する別のアンテナよりも小型である、請求項１から３０の任意の１項に記載のアンテナ装置。
【請求項３２】
前記アンテナは、同じ放射要素を有するが、同じ大きさおよび同じ外周形状を有する従来の連続面型の接地面を有する別のアンテナより広いバンド幅を特徴とする、請求項１から３１の任意の１項に記載のアンテナ装置。
【請求項３３】
前記アンテナはマルチバンドの作用を特徴とする、請求項１から３２の任意の１項に記載のアンテナ装置。
【請求項３４】
前記アンテナは、ＡＭＰＳ、ＧＳＭ９００、ＧＳＭ１８００、ＰＣＳ１９００、ＵＭＴＳまたはＣＤＭＡのセルラ方式システム、
またはＩＥＥＥ８０２．１１やＢｌｕｅｔｏｏｔｈなどのＷＬＡＮシステム、
の内の少なくとも１個若しくはこれらの組み合わせに対するマイクロセル若しくはピコセルにおけるカバレージを提供する、請求項２４、２５、２６、２７、２８、または２９に記載のアンテナ装置。
【請求項３５】
前記アンテナは、自動車のリアミラーの内部に装着されて、
ＡＭＰＳ、ＧＳＭ９００、ＧＳＭ１８００、ＰＣＳ１９００、ＵＭＴＳまたはＣＤＭＡのセルラ方式システム、
またはＩＥＥＥ８０２．１１やＢｌｕｅｔｏｏｔｈなどのＷＬＡＮシステム、
の内の少なくとも１個若しくはこれらの組み合わせに対するマイクロセル若しくはピコセルにおけるカバレージを提供する、請求項２７から３２のいずれか１項に記載のアンテナ装置。
【請求項３６】
前記アンテナはキーレスドアロック作動装置に内部に装着される、請求項２７から３２のいずれか１項に記載のアンテナ装置。
【請求項３７】
前記放射要素は前記接地面と同様の形状を有し、前記放射要素は、前記接地面と平行または直交するように配置される、請求項１から２５に記載のアンテナ装置。
【国際調査報告】
2005503062.tif 000045
2005503062.tif 000046
2005503062.tif 000047